(57)【要約】【課題】  採光窓付き内装パネルの採光窓が容易に形成される。【解決手段】  本発明の採光窓付き内装パネルによれば、表面材２と台座部材３と透光窓部材４との組み合わせにより採光窓を容易に形成することができるものである。また、融通部（クリアランス）の構成により組み立てがより簡単であると共に空間部が外気と同一条件の通気となり採光窓に結露などの曇りが生じることがない。そのため、視覚的な効果により内装パネルの厚み方向に連続的に広がる採光窓に見せることができる。【選択図】図１
2012172510.tif 000002
【特許請求の範囲】
【請求項１】
枠部材１ａと桟部材１ｂで内装パネルＰの骨組み部材１を構成し、該内装パネルＰの表面側と裏面側を表面材２，２で覆う形態にしたものにおいて、上記骨組み部材１の厚みと略同一の厚みを有する台座部材３を枠部材１ａ若しくは桟部材に１ｂに固設すると共に、該台座部材３に透視孔３ａと透視孔周縁に陥没する座刳り部３ｂを設けるように構成する一方、上記台座部材３の透視孔３ａの外形に合わせた形態で、平面形状が表面材２に形成された開口部２ａの平面形状に等しくされた窓部本体４ａと、該窓部本体４ａの周囲に窓部本体４ａの表面側より陥没して前記台座部材３の座刳り部３ｂの外形に合わせて形成された鍔部４ｂとを有する透光窓部材４が、該窓部本体４ａの鍔部４ｂを台座部材３の座刳り部３ｂに嵌め込んだ状態で表面材２の裏面に融通部５（クリアランス）を介して融通自在に配設され、透光窓部材４の本体は表面材２の開口部２ａに嵌め込まれて表面材２と表面が面一となり、この透光窓部材４、４が台座部材３の表面側と裏面側に位置する状態で融通部５（クリアランス）を介して外気に通気可能な空間６を形成して対置固定されたことを特徴とする採光窓付き内装パネル。
【発明の詳細な説明】
【技術分野】
【０００１】  本発明は、採光窓付き内装パネルに関するものであり、内装パネルの構成を組み立てやすくして、組み立て後の構造がしっかりとした採光窓が容易に形成される採光窓付き内装パネルに関するものである。
【背景技術】
【０００２】  ドア、間仕切り、内壁パネル等の内装パネルについては、採光窓が配設されたものが知られている（たとえば、特許文献１参照）。
【先行技術文献】
【特許文献】
【０００３】
【特許文献１】特許第３８４２７８８号公報
【発明の概要】
【発明が解決しようとする課題】
【０００４】  特許文献１のものは、平面形状が表面材に形成された開口部の平面形状に等しくされた本体と、本体の周囲に形成された鍔部とを有する透光部材が、表面材の裏面に固定され、透光部材の本体は表面材の開口部に嵌め込まれて表面材と表面が面一となり、この透光部材が固定された表面材の２枚が対置固定され、該透光部材の間にフラットな透光部材が積層される構成にされており、表面材に２枚の透光部材が固定される構成にされている。このために構成が複雑な形態とされている。
【課題を解決するための手段】
【０００５】  本発明は、これを解決するために、外枠部材１ａと桟部材１ｂで内装パネルＰの骨組み部材１を構成し、該内装パネルＰの表面側と裏面側を表面材２，２で覆う形態にしたものにおいて、上記骨組み部材１の厚みと略同一の厚みを有する台座部材３を枠部材１ａ若しくは桟部材に１ｂに固設すると共に、該台座部材３に透視孔３ａと透視孔周縁に陥没する座刳り部３ｂを設けるように構成する一方、上記台座部材３の透視孔３ａの外形に合わせた形態で、平面形状が表面材２に形成された開口部２ａの平面形状に等しくされた窓部本体４ａと、該窓部本体４ａの周囲に窓部本体４ａの表面側より陥没して前記台座部材３の座刳り部３ｂの外形に合わせて形成された鍔部４ｂとを有する透光窓部材４が、該窓部本体４ａの鍔部４ｂを台座部材３の座刳り部３ｂに嵌め込んだ状態で表面材２の裏面に融通部５を介して融通自在に配設され、透光窓部材４の本体は表面材２の開口部２ａに嵌め込まれて表面材２と表面が面一となり、この透光窓部材４、４が台座部材３の表面側と裏面側に位置する状態で融通部５（クリアランス）を介して外気に通気可能な空間６を形成して対置固定されたことを特徴とする採光窓付き内装パネルとしたものである。
【発明の効果】
【発明の効果】
【０００６】  本発明の採光窓付き内装パネルによれば、表面材２と台座部材３と透光窓部材４との組み合わせにより採光窓を容易に形成することができるものであり、透光窓部材が内装パネルの厚さに比べて薄厚に形成されるので、薄厚板等を用いて採光部を形成することができ、低コスト化が図れる。また、表面材毎に別個の透光部材が固定されるので、対置される表面材間の開口位置を正確に位置あわせする必要がなく、効率良く製造することができる。また、融通部（クリアランス）の構成により組み立てがより簡単であると共に空間部が外気と同一条件の通気となり採光窓に結露などの曇りが生じることがない。そのため、視覚的な効果により内装パネルの厚み方向に連続的に広がる採光窓に見せることができる。
【図面の簡単な説明】
【０００７】
【図１】本発明の採光窓付き内装パネルの表面を示す正面図である。
【図２】採光窓付き内装パネルの断面構造を例示した断面図である。
【図３】採光窓付き内装パネルの要部断面構造を例示した断面図である。
【図４】採光窓付き内装パネルの要部拡大構造を例示した断面図である。
【図５】採光窓付き内装パネルの比較例構造を例示した要部断面図である。
【図６】採光窓付き内装パネルの骨組み部材を例示した要部正面図である。
【図７】採光窓付き内装パネルの要部断面構造を例示した断面図である。
【発明を実施するための形態】
【０００８】  以下、図面に沿って本発明の採光窓付き内装パネルについて説明する。
本発明の採光窓付き内装パネルＰでは、木製の外枠部材１ａと桟部材１ｂで内装パネルＰの骨組み部材１を構成し、該内装パネルＰの表面側と裏面側を表面材（プリント合板、無垢材などの各種表面材）２，２で覆う形態に構成されている。
上記骨組み部材１の厚みと同一若しくは略同一の厚みを有する木製の台座部材３を枠部材１ａ若しくは桟部材に１ｂに止針打ち機による針などの止着部材Ｈを用いて固設すると共に、該台座部材３に平面形状を円形、三日月形、星形などの各種形状のいずれかに択一的に選択して設定した透視孔３ａと該透視孔３ａの周縁に陥没する座刳り部３ｂを設けるように構成されている。
【０００９】  一方、上記台座部材３の透視孔３ａの外形（円形、三日月形、星形、文字などの各種形状）に合わせた形態で、平面形状が表面材２に形成された開口部２ａの平面形状（円形、三日月形、星形などの各種形状）に等しくされた窓部本体４ａと、該窓部本体４ａの周囲に窓部本体４ａの表面側より陥没して前記台座部材３の座刳り部３ｂの外形に合わせて形成された窓枠鍔部４ｂとを有する透光窓部材４が、該窓部本体４ａの窓枠鍔部４ｂを台座部材３の座刳り部３ｂに嵌め込んだ状態で表面材２の裏面に融通部５（クリアランス）を介して融通自在に配設され、透光窓部材４の本体は表面材２の開口部２ａに嵌め込まれて表面材２と表面が面一となり、この透光窓部材４、４が台座部材３の表面側と裏面側に位置する状態で融通部５（クリアランス）を介して外気に通気可能な空間６を形成して対置固定されたことを特徴とする採光窓付き内装パネルとしたものである。そして、表面部材２は骨組み部材１と台座部材３に接着剤で接着固定されている。
【００１０】  内装パネルＰの骨組み部材１の表面と裏面に平面形状が表面材（プリント合板、無垢材などの各種表面材）２に形成された開口部２ａの平面形状（円形、三日月形、星形、文字などの各種形状）に等しくされた窓部本体４ａと、窓部本体４ａの周囲に陥没させて形成された窓枠鍔部４ｂとを有する透光窓部材４が、表面材２の裏面に配設される。このとき、透光窓部材４の窓部本体４ａは、表面材２の開口部２ａに嵌め込まれ、窓部本体４ａの表面が表面材２の表面と面一になる。そして、透光窓部材４が配設された表面材２の２枚が対置固定されて、本発明の採光窓付き内装パネルは形成される。したがって、本発明の採光窓付き内装パネルでは、部品点数が削減され、構造が単純化されていることから、採光窓が容易に形成される。また、透光窓部材４の窓部本体４ａの表面と表面材２の表面は面一であるため、フラットな内装パネルとなる。居室、クローゼット用のドア、引き違いドアをはじめ、内壁パネル等として、意匠性に優れたものが実現される。たとえば、この出願の発明の内装パネルを引戸として用いた場合、透光窓部材４を固定するためのモール等が不要となり、表面がフラットであるため、控え壁や他の引戸との間隔を狭めることが可能となる。そのため引き違いドアの引戸にした場合には指詰めなどの恐れがない効果を生ずる。
【００１１】  なお、透光窓部材４は、たとえば図２に示したように、周囲に鍔部４ｂを残し、表面材２の厚み（ｔ）分切削することにより作製したり、注型成形等により作製したりすることができる。このような透光窓部材４には、アクリル透明板、ポリカードネート板、和紙材等をはじめとする各種の透光性等を有するものが適用可能である。
【００１２】  本発明の採光窓付き内装パネルでは、具体的には、窓部本体４ａの裏側に鍔部４ｂが設けられた透光窓部材４を用い、その２つを対置される２枚の表面材２の各々に配設することができる。すなわち図２にも示したように、２つの透光窓部材４の内、一方の透光窓部材４の窓部本体４ａを一方の表面材２の開口部２ａに嵌め込み、他方の透光窓部材４の窓部本体４ａを他方の表面材２の開口部に嵌め込むことができる。この場合、透光窓部材４は、内装パネルの厚み（Ｔ）に比べ薄厚に形成することができ、このため、たとえば薄厚板等を用いて採光部を形成することができる。これにより、低コスト化が図れる。また、表面材２毎に別個の透光窓部材４を使用することができるため、対置される２枚の表面材２の開口部２ａの位置を正確に合わせる必要がない。したがって、内装パネルを効率よく製造することが可能となる。外枠部材１ａに囲まれる２枚の表面材２、２の間に各図に示したように、芯材となる台座部材３を配置することができ、台座部材３との組み合わせにより所望厚みの採光窓付き内装パネルを作製することができる。
【００１３】  このときに、台座部材３の透視孔３ａの外形（円形、三日月形、星形、文字などの各種形状）に合わせた形態で、平面形状が表面材２に形成された開口部２ａの平面形状（円形、三日月形、星形、文字などの各種形状）に等しくされた窓部本体４ａと、該窓部本体４ａの周囲に窓部本体４ａの表面側より陥没して前記台座部材３の座刳り部３ｂの外形に合わせて形成された窓枠鍔部４ｂとを有する透光窓部材４が、該窓部本体４ａの窓枠鍔部４ｂを台座部材３の座刳り部３ｂに嵌め込んだ状態で表面材２の裏面に融通部５（クリアランス）を介して融通自在に配設され、透光窓部材４の本体は表面材２の開口部２ａに嵌め込まれて表面材２と表面が面一となり、この透光窓部材４、４が台座部材３の表面側と裏面側に位置する状態で融通部５（クリアランス）を介して外気に通気可能な空間６を形成して対置固定されているので、透光窓部材４の材質による伸縮変形などを融通部で許容して、また融通部の構成により組み立てがより簡単であると共に空間部が外気と同一条件の通気となり採光窓に結露などの曇りが生じることがない。
【００１４】  さらに、２つの透光窓部材４の間には図２に示したような空間６を形成することができる。この空間６により採光窓を内装パネルの厚み方向に連続的に広がるもののように見せることができる。空間６には図２に示したように、フラットな透光窓部材４を介設し、透光窓部材４、４を台座部材３を介して対置することができる。このようにしても、採光窓の内装パネルの厚み（Ｔ）方向の広がり感が得られる。
【００１５】  本発明者は、開発過程において図５に示すタイプのものを試作したが、このものは台座部材３に座刳り部３ｂを設ける構成にしておらずそのために、透光窓部材４を三枚積層する形態を採用していたために厚みを厚くせざるを得なくコスト高と重量大となる課題を有していた。本発明者はこれらの課題を解決すべくこの出願の発明の構成を創案するに至ったものである。もちろん、この出願の発明は、以上の実施形態によって限定されるものではない。表面材の構成及び構造、また、開口部の形状、さらに、透光部材の材質、本体や鍔部の形状、表面材への固定方式等の細部については様々な態様が可能であることはいうまでもない。
【産業上の利用可能性】
【００１６】  本発明の採光窓付き内装パネルは、居室、クローゼット用のドア、引き違いドアをはじめ、内壁パネル等として利用可能であり、学校や保育園の遊具室など幼児の室などに指詰めの恐れがない引き違いドアとして利用される。
【符号の説明】
【００１７】Ｐ  内装パネル
１  骨組み部材
１ａ  外枠部材
１ｂ  桟部材
２  表面材
２ａ  開口部
３  台座部材
３ａ  透視孔
３ｂ  座刳り部
４  透光窓部材
４ａ  窓部本体
４ｂ  鍔部
５  融通部
６  空間
Ｈ  止着部材
【図１】
2012172510.tif 000003
【図２】
2012172510.tif 000004
【図３】
2012172510.tif 000005
【図４】
2012172510.tif 000006
【図５】
2012172510.tif 000007
【図６】
2012172510.tif 000008
【図７】
2012172510.tif 000009